(57)【特許請求の範囲】
【請求項１】
店舗内に設置され、商品等の価格及び顧客からの受取り金の金額から売上金額と釣銭額とを算出するＰＯＳレジスタと、
前記店舗内に設置され、前記受取り金と、釣銭用の貨幣とを収納するとともに、釣銭の出金処理を前記ＰＯＳレジスタの指示により行い、収納している現金在高は前記ＰＯＳレジスタにより認識される釣銭機と、
前記店舗内に設置され、前記釣銭機内の紙幣を受容し、入金指示データを作成する現金自動受払機と、
金融機関に設置され、前記現金自動受払機からの前記入金指示データにより所定の口座への入金処理を行い、前記入金処理による入金結果データを作成する金融機関ホスト・コンピュータと、
前記ＰＯＳレジスタから受信した前記店舗の売上金額データと、前記ＰＯＳレジスタから受信した在高データと、前記金融機関から受け取った前記入金結果データとを用いて前記店舗の売上金額の確定を行うＰＯＳサーバと、
を備えた、売上金額確定システム。
【請求項２】
前記売上金額の確定の対象となる前記売上金額のうち、紙幣のみで計上可能な部分の金額としての紙幣相当額に対応する紙幣が前記現金自動受払機に受容されることを特徴とする請求項１に記載の売上金額確定システム。
【請求項３】
前記ＰＯＳサーバ又は前記ＰＯＳレジスタは、前記釣銭機内に収納された釣銭用の貨幣の額としての釣銭準備額データを管理するものとして構成されており、
前記ＰＯＳサーバは、前記釣銭準備額データ、又は前記ＰＯＳレジスタから受信した前記釣銭準備額データをさらに用いて前記店舗の売上金額の確定を行うことを特徴とする請求項１または２に記載の売上金額確定システム。
【請求項４】
前記釣銭機は、紙幣を収納するための紙幣収納部、硬貨を収納するための硬貨収納部、回収する紙幣を収納するための紙幣回収部を備え、
前記ＰＯＳレジスタは、前記紙幣収納部及び前記硬貨収納部、前記紙幣回収部のそれぞれにおける現金在高を認識するようになっており、
前記在高データは、前記紙幣収納部の紙幣在高データと、前記硬貨収納部の硬貨在高データと、前記紙幣回収部の回収部在高データとを、あるいは、前記紙幣在高データと前記硬貨在高データの合計と、前記回収部在高データとを含む、ことを特徴とする請求項１乃至３のいずれかに記載の売上金額確定システム。
【請求項５】
前記売上金額データは、前記店舗の売上金額を確定する対象期間としての売上金額算定期間におけるものであり、
前記在高データは、前記売上金額算定期間の終了時におけるものであることを特徴とする請求項１乃至４のいずれかに記載の売上金額確定システム。
【請求項６】
前記売上金額データは、前記店舗の売上金額を確定する対象期間としての売上金額算定期間におけるものであり、
前記在高データは、前記売上金額算定期間の終了時におけるものであり、
前記釣銭準備額データは、前記売上金額算定期間内に前記釣銭機内に補充されたものを含む前記売上金額算定期間内に前記釣銭機内に準備された前記釣銭用の貨幣の額を示すものであることを特徴とする請求項３又は４に記載の売上金額確定システム。
【請求項７】
店舗内に設置され、商品等の価格及び顧客からの受取り金の金額から売上金額と釣銭額とを算出するＰＯＳレジスタと、
前記店舗内に設置され、前記受取り金と、釣銭用の貨幣とを収納するとともに、釣銭の出金処理を前記ＰＯＳレジスタの指示により行う釣銭機であって、紙幣を収納するための紙幣収納部、硬貨を収納するための硬貨収納部、回収する紙幣を収納するための紙幣回収部を備え、前記紙幣収納部及び前記硬貨収納部、前記紙幣回収部のそれぞれにおける現金在高は前記ＰＯＳレジスタにより認識される釣銭機と、
前記店舗内に設置され、前記紙幣回収部内に回収された紙幣を受容して、入金指示データを作成する現金自動受払機と、
金融機関に設置され、前記入金指示データを前記現金自動受払機から受信し、前記入金指示データにより所定の口座への入金処理を行って、前記入金処理による入金結果データを作成する金融機関ホスト・コンピュータと、
前記店舗の売上金額を確定する対象期間としての売上金額算定期間における前記店舗の売上金額データと、前記売上算定期間の終了時における前記紙幣収納部の紙幣在高データと、前記売上算定期間の終了時における前記硬貨収納部の硬貨在高データと、前記売上算定期間の終了時における前記紙幣回収部の回収部在高データとをそれぞれ前記ＰＯＳレジスタから受信し、前記売上金額算定期間内に前記釣銭機内に収納された釣銭用の貨幣の額としての釣銭準備額データを管理するＰＯＳサーバとを備え、
前記ＰＯＳサーバは、前記釣銭準備額データ及び前記売上金額データの合計と、前記紙幣在高データ及び前記硬貨在高データ、前記回収部在高データの合計とを比較し、且つ、前記金融機関から受け取った前記入金結果データと前記回収部在高データとを比較して前記店舗の売上金額を確定することを特徴とする、
売上金額確定システム。
【請求項８】
前記釣銭準備額データは前記ＰＯＳレジスタによって管理されており、前記ＰＯＳサーバは、前記ＰＯＳレジスタから受信した前記釣銭準備額データを用いて、前記店舗の前記売上金額を確定することを特徴とする請求項７に記載の売上金額確定システム。
【請求項９】
前記ＰＯＳサーバは、前記紙幣在高データと前記硬貨在高データの両方、あるいは前記紙幣在高データと前記硬貨在高データを合計したものとしての合計データの少なくともいずれかを受信するこことを特徴とする請求項７又は８に記載の売上金額確定システム。
【請求項１０】
店舗内に設置され、商品等の価格及び顧客からの受取り金の金額から売上金額と釣銭額とを算出するＰＯＳレジスタから、前記ＰＯＳレジスタを管理するＰＯＳサーバに、前記店舗の売上金額データを送信し、
前記店舗内に設置され、前記受取り金と、釣銭用の貨幣とを収納するとともに、釣銭の出金処理を前記ＰＯＳレジスタの指示により行う釣銭機であって、収納している現在在高は前記ＰＯＳレジスタにより認識される釣銭機、の在高データを、前記ＰＯＳレジスタから前記ＰＯＳサーバに送信し、
前記店舗内に設置され前記釣銭機内の紙幣回収部内の紙幣を受容した現金自動受払機により作成された入金指示データを、前記現金自動受払機から、金融機関に設置された金融機関ホスト・コンピュータに送信して、金融機関ホスト・コンピュータにおいて前記入金指示データによる所定の口座への入金処理を行うとともに、前記入金処理による入金結果データを作成し、
前記ＰＯＳサーバが、前記ＰＯＳレジスタから受信した前記店舗の前記売上金額データと、前記ＰＯＳレジスタから受信した前記在高データと、前記金融機関から受け取った前記入金結果データとを用いて、前記店舗の売上金額の確定を行う、
売上金額確定方法。
【請求項１１】
店舗内に設置され、商品等の価格及び顧客からの受取り金の金額から売上金額と釣銭額とを算出するＰＯＳレジスタから、前記ＰＯＳレジスタを管理するＰＯＳサーバに、前記店舗の売上金額を確定する対象期間としての売上金額算定期間における前記店舗の売上金額データを送信し、
前記店舗内に設置され、前記受取り金と、釣銭用の貨幣とを収納するとともに、釣銭の出金処理を前記ＰＯＳレジスタの指示により行う釣銭機であって、前記ＰＯＳレジスタによりそれぞれ現在在高が認識される、紙幣を収納するための紙幣収納部及び硬貨を収納するための硬貨収納部、回収する紙幣を収納するための紙幣回収部を備える釣銭機から、前記売上確定算定期間の終了時における前記紙幣収納部の在高データ及び前記売上確定算定期間の終了時における前記硬貨収納部の在高データ、前記売上確定算定期間の終了時における前記紙幣回収部の在高データをＰＯＳサーバに送信し、
前記店舗内に設置され前記紙幣回収部内の紙幣を受容した現金自動受払機により作成された入金指示データを、前記現金自動受払機から、金融機関に設置された金融機関ホスト・コンピュータに送信して、金融機関ホスト・コンピュータにおいて前記入金指示データによる所定の口座への入金処理を行うとともに、前記入金処理による入金結果データを作成し、
前記売上金額算定期間内に前記釣銭機内に収納された釣銭用の貨幣の額としての釣銭準備額データを管理するＰＯＳサーバが、前記釣銭準備額データと、前記ＰＯＳレジスタから受信した売上金額データとの合計と、前記ＰＯＳレジスタから受信した前記紙幣在高データと、前記硬貨在高データと、前記回収部在高データとの合計を比較し、且つ、前記金融機関から受け取った前記入金結果データと前記回収部在高データとを比較して、前記店舗の売上金額の確定をすることを特徴とする売上金額確定方法。
【請求項１２】
前記釣銭準備額データは前記ＰＯＳレジスタによって管理されており、前記ＰＯＳサーバは、前記ＰＯＳレジスタから受信した前記釣銭準備額データを用いて、前記店舗の前記売上金額を確定することを特徴とする請求項１１に記載の売上金額確定方法。
【請求項１３】
前記ＰＯＳサーバは、前記紙幣在高データと前記硬貨在高データの両方、あるいは前記紙幣在高データと前記硬貨在高データを合計した合計データの少なくともいずれかを受信することを特徴とする請求項１１又は１２に記載の売上金額確定方法。
【発明の詳細な説明】
【０００１】
【発明の属する技術分野】
本発明は、売上金額確定システム及び売上金額確定方法に関し、特に、例えば、コンビニエンス・ストア等の小売店における売上金額確定処理に用いられる売上金額確定システム及び売上金額確定方法に関する。
【０００２】
【従来の技術】
一般に、コンビニエンス・ストア等の小売店についての売上金額確定処理は例えば以下のようにして行われている。即ち、まず、小売店のオーナーが、ＰＯＳレジスタの中の全ての現金、つまり前日の売上金額と、前日分の釣銭用貨幣とを銀行に持参する。次に、オーナーは持参した貨幣を本部の口座に入金する。又は店舗内に設置され、警備会社によって運営される入金機へ入金する。本部は口座への入金を確認し、小売店の売上金額を確定する。
【０００３】
【発明が解決しようとする課題】
しかしながら、このような売上金額確定処理には例えば以下の問題点があった。
【０００４】
即ち、小売店のオーナーは、前述のようにＰＯＳレジスタの中の全ての現金を入金するので、ＰＯＳレジスタに翌日分の釣銭を新たに準備する必要がある。釣銭のストックが不足してくると、小売店はその本部を介して又は独自に現金取扱業者、例えば警備会社等に釣銭用の貨幣を発注する。発注を受けた警備会社は注文の貨幣を小売店に届け、小売店は釣銭を補充する。本部は現金輸送費を警備会社に支払う。ここで、発注の回数が多いと現金輸送費もそれだけ多くかかる。特に、硬貨はかさばり重いことから現金輸送費が高く付く。このため、本部又は店舗のオーナーにとって釣銭準備の負担は大きかった。
【０００５】
一方、銀行の窓口が混雑していると入金の順番を待つのに時間を要したり、入金時においても売上金の計数に時間がかかったりするなど、銀行での入金には時間を要することが多い。また、銀行の営業時間は所定の時間に限られているので、入金できる時間には大きな制約があった。さらに、売上金を銀行に持参するために小売店の外に売上金を持ち出すことになるのでこれによる危険もある。これらにより、銀行での入金はオーナーにとって大きな負担となっていた。
【０００６】
この他、銀行側としても入金処理は煩雑であり、売上金の入金処理は好ましいものではなかった。
【０００７】
本発明は、上記問題点に鑑みてなされたものであり、その目的とするところは、釣銭の不足を可及的に抑制できるとともに、入金を簡易化できる売上金額確定システム及び売上金額確定方法を提供することにある。
【０００８】
本発明は、上記課題を解決すべく、店舗内に設置され、商品等の価格及び顧客からの受取り金の金額から売上金額と釣銭額とを算出するＰＯＳレジスタと、
前記店舗内に設置され、前記受取り金と、釣銭用の貨幣とを収納するとともに、釣銭の出金処理を前記ＰＯＳレジスタの指示により行い、収納している現金在高は前記ＰＯＳレジスタにより認識される釣銭機と、
前記店舗内に設置され、前記釣銭機内の紙幣を受容し、入金指示データを作成する現金自動受払機と、
金融機関に設置され、前記現金自動受払機からの前記入金指示データにより所定の口座への入金処理を行い、前記入金処理による入金結果データを作成する金融機関ホスト・コンピュータと、
前記ＰＯＳレジスタから受信した前記店舗の売上金額データと、前記ＰＯＳレジスタから受信した在高データと、前記金融機関から受け取った前記入金結果データとを用いて前記店舗の売上金額の確定を行うＰＯＳサーバと、
を備えた、売上金額確定システムを提案する。
【０００９】
また、本発明は、上記課題を解決するべく、店舗内に設置され、商品等の価格及び顧客からの受取り金の金額から売上金額と釣銭額とを算出するＰＯＳレジスタから、前記ＰＯＳレジスタを管理するＰＯＳサーバに、前記店舗の売上金額データを送信し、
前記店舗内に設置され、前記受取り金と、釣銭用の貨幣とを収納するとともに、釣銭の出金処理を前記ＰＯＳレジスタの指示により行う釣銭機であって、収納している現在在高は前記ＰＯＳレジスタにより認識される釣銭機、の在高データを、前記ＰＯＳレジスタから前記ＰＯＳサーバに送信し、
前記店舗内に設置され前記釣銭機内の紙幣回収部内の紙幣を受容した現金自動受払機により作成された入金指示データを、前記現金自動受払機から、金融機関に設置された金融機関ホスト・コンピュータに送信して、金融機関ホスト・コンピュータにおいて前記入金指示データによる所定の口座への入金処理を行うとともに、前記入金処理による入金結果データを作成し、
前記ＰＯＳサーバが、前記ＰＯＳレジスタから受信した前記店舗の前記売上金額データと、前記ＰＯＳレジスタから受信した前記在高データと、前記金融機関から受け取った前記入金結果データとを用いて、前記店舗の売上金額の確定を行う、売上金額確定方法を提案する。
【００１０】
【発明の実施の形態】
以下、図面を参照して本発明の実施形態について説明する。
【００１１】
図１は、本発明の実施の形態としての売上金額確定システムを説明するためのブロック図である。この売上金額確定システムは、商品の価格と顧客からの受取金額とから売上金額や釣銭額を算出するＰＯＳ（point-of-sales）レジスタ３、売上金や釣銭用貨幣を収納し且つＰＯＳレジスタ３により管理される紙幣釣銭機１及び硬貨釣銭機２、紙幣釣銭機１から回収された貨幣を受容する現金自動受払機（ＡＴＭ：Automatic-Teller-Machine)４、現金自動受払機４から入金指示を受ける銀行ホスト・コンピュータ５、ＰＯＳレジスタ３を管理するＰＯＳサーバ６を備え、これらの装置間で各種データを送受信等して小売店８の売上金額確定処理を行うものである。
【００１２】
以下、この売上金額確定システムについて詳述する。
【００１３】
小売店８は、客に商品を販売するコンビニエンス・ストア等の小売店で、チェーン店の一店舗である。小売店８のレジカウンタ１１の内側には、紙幣釣銭機１及び硬貨釣銭機２、ＰＯＳレジスタ３が設置されている。レジカウンタ１１の外側にはＡＴＭ４が設置されている。
【００１４】
ＰＯＳレジスタ３はＰＯＳシステムの一端末である。ここに、ＰＯＳシステムとは、各小売店の販売時における売上金額データ等を各小売店に設置されたＰＯＳレジスタから本部のＰＯＳサーバに集約し、これにより各小売店の販売状況の管理を効率的に行おうとするものである。本実施形態におけるＰＯＳシステムは、ＰＯＳサーバ６とこれに通信回線により接続された各店舗のＰＯＳレジスタ３とにより構成される。ＰＯＳレジスタ３は、商品からその商品名及び値段、数量を読みとったり、商品の合計金額と、客の支払金額とから釣銭額を算出したりするようになっている。
【００１５】
次に、紙幣釣銭機１はＰＯＳレジスタ３と連結されて設置されている。また、硬貨釣銭機２は紙幣釣銭機１に連結されて設置されている。紙幣釣銭機１及び硬貨釣銭機２は、小売店８における商品の販売等に伴う紙幣及び硬貨の入出処理をするためのものである。紙幣釣銭機１及び硬貨釣銭機２はＰＯＳレジスタ３により制御されており、例えばＰＯＳレジスタ３から出金指示を受けるとその指示通りの釣銭を排出するようになっている。
【００１６】
図２に、紙幣釣銭機１と硬貨釣銭機２の構成を具体的に示す。
【００１７】
まず、紙幣釣銭機１の構成について説明する。
【００１８】
紙幣釣銭機１は、各種紙幣（１０００円札、２０００円札、５０００円札、１００００円札）を投入する紙幣入金口１５、各種紙幣を釣銭として排出する紙幣出金口１６を備えている。また、紙幣釣銭機１は、紙幣入金口１５から投入された紙幣の金種を識別する識別部１７を備えている。また、紙幣釣銭機１は、識別部１７で紙幣として認識できないリジェクト紙幣を収納するリジェクトボックス１８を備えている。リジェクトボックスは必ずしも必要ではなく、紙幣出金口に返却することで対処する態様とすることも可能である。また、紙幣釣銭機１は、識別部１７による識別を経た紙幣を金種別に収納すると共に、出金又は回収の際には収納した紙幣を搬出する、第１環流スタッカ１９と第２環流スタッカ２０とを備えている。第１環流スタッカ１９は１０００円札用、第２環流スタッカ２０は５０００円札用として又は２０００円札用としてそれぞれ用いられる。また、紙幣釣銭機１は、１０，０００円札を収納するとともに、第１環流スタッカ１９及び第２環流スタッカ２０に収納された紙幣を回収するための回収用カセット２１を備えている。回収用カセット２１は紙幣釣銭機１に脱着可能に取り付けられている。また、紙幣釣銭機１は、第１環流スタッカ１９及び第２環流スタッカ２０、回収用カセット２１に収納されている金種や金額等を記憶している記憶部２２を備えている。また、紙幣釣銭機１は、紙幣釣銭機１全体を制御する制御部２３を備えている。制御部２３は、ＰＯＳレジスタ３の制御部（図示せず）に接続されて、ＰＯＳレジスタ３から上記出金指示の他、各種の指示を受けてその指示内容を実行するようになっている。例えば、紙幣釣銭機１はＰＯＳレジスタ３から在高取得指示を受けると、紙幣釣銭機１内の現在在高を在高データとして記憶部２２から取り出し、取り出した在高データをＰＯＳレジスタ３に送るようになっている。なお、記憶部２２に記憶されている在高データ等の各種のデータはＰＯＳレジスタ３によって管理されるようにしてもよい。
【００１９】
次に、硬貨釣銭機２の構成について説明する
硬貨釣銭機２は、各種硬貨（１円玉、５０円玉、５円玉、１００円玉、１０円玉、５００円玉）を投入する硬貨入金口２５、各種硬貨を釣銭として排出する硬貨出金口２６を備えている。また、硬貨釣銭機２は、硬貨入金口２５から投入された硬貨の金種を識別する識別部２７を備えている。また、硬貨釣銭機２は、識別部２７により識別された硬貨をその形状により選別する選別部２８を備えている。また、硬貨釣銭機２は、選別部２８により選別された硬貨を金種別に収納する金種別収納部３１を備えている。また、硬貨釣銭機２は、その金種別収納部３１に収納されている金種や金額等を記憶している記憶部２９備えている。また、硬貨釣銭機２は、硬貨釣銭機２全体を制御する制御部３０を有している。制御部３０は、紙幣釣銭機１の制御部２３と接続されている。これにより硬貨釣銭機２は、紙幣釣銭機１の制御部２３を介してＰＯＳレジスタ３から出金指示や在高取得指示など各種の指示を受けて、その指示内容を実行するようになっている。なお、記憶部２９に記憶されている在高データ等の各種のデータは紙幣釣銭機１を経由してＰＯＳレジスタ３によって管理されるようにしてもよい。
【００２０】
次に、紙幣釣銭機１及び硬貨釣銭機２による貨幣の入出処理について一例を説明すると以下の通りである。
【００２１】
先ず、客が商品をレジカウンタ１１に持参し、持参した商品を店員に渡す。店員に渡された商品の商品コードがＰＯＳレジスタ３のバーコドリーダにより読み取られる。すべての商品コードが読み取られ、商品の内容が確定すると、合計金額がＰＯＳレジスタ３により算出される。客が店員に紙幣及び硬貨を渡し、店員によりこれら紙幣及び硬貨がそれぞれ紙幣入金口１５及び硬貨入金口２５に投入される。投入された紙幣及び硬貨はそれぞれ識別部１７、２７による真偽、金種の判別処理等を経た後、それぞれ金種に応じて紙幣については第１環流スタッカ１９及び第２環流スタッカ２０、回収用カセット２１、硬貨については金種別収納部３１に収納される。ＰＯＳレジスタ３によって客の支払金額と商品の合計金額とから釣銭額が算出される。この釣銭額に対応する釣銭額データが、ＰＯＳレジスタ３から紙幣釣銭機１の制御部２３に送られ、さらに該制御部２３から硬貨釣銭機２の制御部３０にも送られる。この釣銭額データに基づいて紙幣釣銭機１及び硬貨釣銭機２は紙幣出金口及び硬貨出金口から釣銭を払い出す。記憶部２２、２９のデータは最新の状態に更新される。なお、紙幣釣銭機１及び硬貨釣銭機２には、予め釣銭用の紙幣及び硬貨が収納されている。
【００２２】
次に、ＡＴＭ４について説明する。ＡＴＭ４は、銀行ホスト・コンピュータ５と連結されている。ＡＴＭ４には予め貨幣が警備会社等の現金取扱業者により収納されている。
【００２３】
ＡＴＭ４は、まず、受容した現金に対応する入金指示データを作成する。次に、ＡＴＭ４は、作成した入金指示データを銀行ホスト・コンピュータ５に送信する。入金指示データを受信した銀行ホスト・コンピュータ５は入金指示データに基づいて入金先の口座を更新する。ＡＴＭ４が受容した現金はその内部に収納される。
【００２４】
次に、本部９は、小売店８を含む各小売店を統括する部署である。本部９には、ＰＯＳサーバ６が設置されている。上述のように、ＰＯＳサーバ６はＰＯＳシステムにおいて各ＰＯＳレジスタを管理するためのものであり、ＰＯＳレジスタ３と通信回線により接続されている。
【００２５】
図１に示すように、ＰＯＳサーバ６は、ＰＯＳレジスタ３から、小売店８における売上データを受信できるようになっている。この売上データとしては、例えば商品名及び価格、数量のデータや、売上金額データ等がある。売上金額には、商品の売買によるものの他、手数料収入や雑収入等によるものなども含まれる。また、ＰＯＳサーバ６は、ＰＯＳレジスタ３を介して、紙幣釣銭機１及び硬貨釣銭機２内の各貨幣収納部ごとにおける現金在高としての在高データを受信できるようになっている。具体的に、在高データとしては、第１環流スタッカ１９の在高データ、第２環流スタッカ２０の在高データ、回収用カセット２１の在高データ、金種別収納部３１における在高データがある。ＰＯＳサーバ６は、これらの在高データを、リアルタイム処理又はバッチ処理等の任意の手段にてＰＯＳレジスタ３から受信可能になっている。また、ＰＯＳサーバ６は、ＰＯＳレジスタ３に準備及び補充される釣銭額を釣銭準備額データとして日ごとに管理している。
【００２６】
一方、ＰＯＳサーバ６は、銀行ホスト・コンピュータ５と通信回線により接続されている。これにより、ＰＯＳサーバ６は、本部９の口座及びその他の口座（以下、本部口座）への入金情報を銀行ホスト・コンピュータ５から受信できるようになっている。なお、ＰＯＳサーバ６は、通信回線を介さないでこの入金情報を受け取ってもよい。例えば、この入金情報の収容された媒体を本部９が受け取り、この媒体を介して入金情報がＰＯＳサーバ６に入力されるようにしてもよい。
【００２７】
図３は、小売店８の売上金額確定処理の流れを示すフローチャートである。
【００２８】
図３及び図１に基づいて小売店８の売上金額確定処理について説明する。なお、図１中、実線矢印はデータの流れを、破線矢印は貨幣の流れを示す。
【００２９】
図３に示すように、まず、前日（売上金算定期間）の売上金額データに基づき前日の売上金額を算出する（Ｓ１）。この売上金額を、紙幣のみでカウントできる金額（紙幣相当金額）と、硬貨のみでカウントできる金額（硬貨相当金額）とに分ける（Ｓ２）。例えば、１２３，４５６円であれば、１２３，０００円と４５６円とに分ける。このうち紙幣相当金額（この場合１２３，０００円）を、例えば最小の紙幣枚数にて、回収用カセット２１（図２参照）に搬送及び回収する（紙幣回収処理）（Ｓ３）。つまり、前述したように、回収用カセット２１には高額紙幣が予め収納されているので、低額紙幣を必要枚数だけ回収用カセット２１に回収する。上記の例の場合、１０，０００円札が１０枚、既に回収用カセット２１に収納されているとすれば、残りの２３，０００円分を、例えば５０００円札４枚、１０００円札３枚のように最小枚数で回収する。なお、このように最小枚数で回収しなくとも本発明の実施は当然に可能である。回収されなかった低額紙幣及び全ての硬貨（上記の例における４５６円分の硬貨を含む）は当日分の釣銭として紙幣釣銭機１及び硬貨釣銭機２に残置する。
【００３０】
図３及び図１から分かるように、ＰＯＳサーバ６は、前日における小売店８の売上金額データをＰＯＳレジスタ３から受信する（Ｓ４及び（１））。また、ＰＯＳサーバ６は、紙幣釣銭機１及び硬貨釣銭機２のそれぞれにおける貨幣収納部の在高データをＰＯＳレジスタ３から受信する（Ｓ５及び（１））。具体的には、第１環流スタッカ１９及び第２環流スタッカ２０、回収用カセット２１、金種別収納部３１のそれぞれの在高データをＰＯＳサーバ６は受信する。
【００３１】
次に、紙幣釣銭機１から回収用カセット２１を取り外す。取り外した回収用カセット２１内から低額紙幣及び高額紙幣を取り出す。図３及び図１から分かるように、取り出した低額紙幣及び高額紙幣を売上金の一部としてＡＴＭ４に預け入れる（Ｓ６及び（２））。預け入れられた現金はＡＴＭ４内に収納される。ＡＴＭ４は、預け入れられた金額に対応する入金指示データを銀行ホスト・コンピュータ５に送信する（Ｓ７及び（３））。入金指示データを受信した銀行ホスト・コンピュータ５はこの入金指示データに基づいて入金処理を行う（Ｓ８）。具体的には、銀行ホスト・コンピュータ５は本部口座に対して入金指示データに示される入金額を加算処理する。入金処理を行った銀行ホスト・コンピュータ５は、この入金処理の結果としての入金結果データをＰＯＳサーバ６に送信する（Ｓ９及び（４））。入金結果データ及び売上金額データ、在高データを受信したＰＯＳサーバ６はこれらのデータを突き合わせて、小売店８の売上金額の確定を行う（Ｓ１０）。具体的には、ＰＯＳサーバ６は次の２つの式（Ａ）（Ｂ）をチェックする。
【００３２】
・釣銭準備額データ＋売上金額データ  ＝  紙幣釣銭機１の全在高データ（第１環流スタッカ１９の在高データ＋第２環流スタッカ２０の在高データ＋回収用カセット２１の在高データ）＋硬貨釣銭機２の全在高データ（金種別収納部３１の在高データ）  ・・・・式（Ａ）
・入金結果データ  ＝  回収用カセット２１の在高データ  ・・・・式（Ｂ）
まず、式（Ａ）について検討する。
【００３３】
釣銭準備額データは、前日分として紙幣釣銭機１及び硬貨釣銭機２に準備及び補充された釣銭額の合計額を示す。売上金額データは、前日の売上金額を示す。一方、紙幣釣銭機１の在高データ（第１環流スタッカ１９の在高データ＋第２環流スタッカ２０の在高データ＋回収用カセット２１の在高データ）は、上記紙幣回収処理の直後（あるいは売上算定期間の終了時）において紙幣釣銭機１内にある全紙幣の合計額を示す。硬貨釣銭機２の在高データ（金種別収納部３１の在高データ）は、上記紙幣回収処理の直後（あるいは売上算定期間の終了時）において硬貨釣銭機２内にある全硬貨の合計額を示す。
【００３４】
ここで、前日に紙幣釣銭機１及び硬貨釣銭機２に準備及び補充された釣銭額に、前日のデータ上の売上金額を加算した額は、前日の終了時において紙幣釣銭機１及び硬貨釣銭機２内に存在する全ての貨幣の合計金額に等しくなる。したがって、式（Ａ）が成り立つ。これにより、本部９は、紙幣釣銭機１及び硬貨釣銭機２内に実際に存在する現金としての売上金額が、データ上の売上金額に一致することを確認できる。
【００３５】
次に、式（Ｂ）について検討する。
【００３６】
入金結果データは、前述したように、ＡＴＭ４を介して本部口座に入金された金額を示す。一方、回収用カセット２１の在高データは、上記紙幣回収処理の直後（あるいは売上算定期間の終了時）において回収用カセット２１内に存在する紙幣の合計金額を示す。前述したように、回収用カセット２１内の全ての紙幣はＡＴＭ４に預け入れられるので、これらの金額はそれぞれ等しくなる。したがって、式（Ｂ）が成り立つ。これにより、本部９は、式（Ｂ）が成り立つことを確認することで、回収用カセット２１内の全ての紙幣が本部口座に入金されたことを本部９は確認できる。
【００３７】
上記実施形態においては、売上金の紙幣相当額を全てＡＴＭ４に預け入れたが、この紙幣相当額の全てを預け入れずに、預け入れる金額を、ＰＯＳレジスタ３に当日分用として用意する釣銭額を勘案して決定しても良い。例えば、当日分用としての釣銭額を前日分のよりも多くするときは、それらの差額分の金額を紙幣相当額から捻出し、残りの金額分の紙幣をＡＴＭ４に預け入れるようにしてもよい。また、当日分用としての釣銭額を前日分のよりも少なくするときは、その差額分の金額を紙幣相当額に加えた金額をＡＴＭ４に預け入れるようにしてもよい。このようにすることで日ごとの事情を勘案したより弾力的な売上金額確定処理を行うことができる。なお、本実施形態においては、紙幣のみを受け付けるＡＴＭ４を用いたが、紙幣及び硬貨を受け付けるＡＴＭを用いてもよい。
【００３８】
また、上記実施形態においては、紙幣釣銭機１及び硬貨釣銭機２を別体として構成したがこれらを一体化して構成してもよい。これにより、店内スペースを有効に活用することができる。また、ＡＴＭ４とＰＯＳレジスタ３とを一体化しても店内スペースを有効活用することができる。
【００３９】
以上のように、本実施形態によれば、店内に設置されたＡＴＭ４からの口座入金に基づいて銀行ホスト・コンピュータにより作成された入金結果データ、ＰＯＳレジスタ３により取得された売上データ、紙幣釣銭機１及び硬貨釣銭機２内の各収納部における在高データを用いて売上金額の確定を行うようにした。これにより、売上金を必ずしも全て回収しなくとも売上金額確定処理を行うことができる。また、本実施形態によれば、店内のＡＴＭ４から口座入金するようにしたので、口座入金のためにあえて銀行に行く必要はない。よって、銀行の開店時間に入金の時間を合わせたり、売上金を持ち歩く危険を心配したせずに、つまり任意の時間に且つ安全に口座に入金することができる。
【００４０】
また、本実施形態によれば、紙幣相当金額の入金については最小必要枚数の紙幣により行い、硬貨についてはこれを回収せずに翌日の釣銭として硬貨釣銭機２に残置するようにした。これにより、釣銭の流出を可及的に抑制することができ、したがって、釣銭の準備に必要な現金輸送費を抑制することができる。特に、硬貨を回収しないことにより、大幅に現金輸送費を抑制することができる。
【００４１】
【発明の効果】
本発明によれば、釣銭機内の在高データをＰＯＳサーバで認識できるようにするとともに、釣銭機内の売上金を現金自動受払機に預け入れるようにしたので、釣銭の不足を可及的に抑制できるとともに、入金を簡易化することができる。
【図面の簡単な説明】
【図１】本発明の実施形態としての売上金額確定システム及びこれを構成する各種装置間におけるデータの流れを示す図である。
【図２】紙幣釣銭機及び硬貨釣銭機の内部構成を示す図である。
【図３】小売店の売上金額確定処理の流れを示すフローチャートである。
【符号の説明】
１  紙幣釣銭機（釣銭機）
２  硬貨釣銭機（釣銭機）
３  ＰＯＳレジスタ
４  ＡＴＭ（現金自動受払機）
５  銀行ホスト・コンピュータ（金融機関ホスト・コンピュータ）
６  ＰＯＳサーバ
８  小売店（店舗）
９  本部
１０  銀行（金融機関）
１９  第１環流スタッカ（紙幣収納部）
２０  第２環流スタッカ（紙幣収納部）
２１  回収用カセット（紙幣回収部）
３１  金種別収納部（硬貨収納部）
【図１】
0004053319.tif 000002
【図２】
0004053319.tif 000003
【図３】
0004053319.tif 000004